(57)【要約】      （修正有）【課題】映像を表示させず音声のみを出力する場合であっても、音声に対するメニュー操作や入力切替に対応した文字列を表示可能な薄型テレビジョン装置を提供する。【解決手段】薄型テレビジョン装置１０の薄型ディスプレイ１１の下方に音声メニューを表示するメニュー表示画面１４を配置する。これにより映像を表示しない映像ミュート時でも、音声メニューに対応する文字列をメニュー表示画面１４に表示させ、ユーザが音声メニューの切替を行うことができる。【選択図】図１
2008078744.tif 000002
【特許請求の範囲】
【請求項１】
アンテナが受信したテレビジョン放送よりリモコン装置により選択した放送に対応した映像信号と音声信号とを抽出するチューナ部と、
外部機器から出力される映像信号を受け入れる映像入力端子と、外部機器から出力される音声信号を受け入れる音声入力端子とから成る外部入力端子と、
受け入れた上記映像信号を基に映像を表示する薄型ディスプレイと、
受け入れた上記音声信号に音声を調整するための音声メニューに対応した信号処理を施す音声信号処理部と、
商用電源から安定化電源を生成して、上記薄型ディスプレイを駆動するための電源を供給する電源基板と、
上記音声信号処理部にリモコン装置の操作により入力される音声メニューに対応した信号処理の指示を出すとともに、上記電源基板の制御を行うマイコンと、
上記マイコンが駆動するためのプログラムやテーブルを記録するＲＯＭとを有する薄型テレビジョン装置において、
上記薄型ディスプレイの表示画面より下方に、略矩形の表示面を有する液晶ディスプレイにて形成されたメニュー表示画面を有し、
上記ＲＯＭは上記音声メニューが選択された際、選択された上記音声メニューに対応して上記メニュー表示画面に表示するための文字列とを対応付けする対応テーブルと、
上記リモコン装置により当該薄型テレビジョン装置が音声のみを出力する映像ミュートが選択された際、上記マイコンが上記電源基板から上記薄型ディスプレイへの電源の供給を停止するとともに、上記薄型ディスプレイが画面に映像を表示しない状態で上記リモコン装置から音声メニューの選択がなされると、上記マイコンが上記対応テーブルを参照して上記メニュー表示画面に上記選択された音声メニューに対応する文字列を表示させる音声メニュー表示プログラムとを記録することを特徴とする薄型テレビジョン装置。
【請求項２】
映像を表示する表示手段と音声を出力する音声出力手段とを有し、上記音声出力手段に入力する音声信号に所定の信号処理を施すことで、出力する音声を変化させる音声調整手段を有する薄型ディスプレイにおいて、
入力される指示に基づいて上記表示手段での映像の表示を停止する映像表示停止手段と、
所定の文字列を表示可能なメニュー画面表示手段と、
上記音声調整手段に指示した音声メニューに対応する文字列を上記メニュー画面表示手段に表示させる音声メニュー表示手段とを有することを特徴とする薄型ディスプレイ。
【請求項３】
上記映像表示停止手段は、上記表示手段が駆動するための電源の供給を停止することで映像の表示を停止することを特徴とする請求項２に記載の薄型ディスプレイ。
【請求項４】
上記メニュー画面表示手段は、当該薄型ディスプレイの表示面より下方に配置される略矩形の表示面から成ることを特徴とする請求項２または請求項３に記載の薄型ディスプレイ。
【請求項５】
上記メニュー画面表示手段は、液晶ディスプレイ装置であることを特徴とする請求項２〜請求項４のいずれかに記載の薄型ディスプレイ。
【請求項６】
上記音声メニュー表示手段は、選択された音声メニューと表示する文字列との対応関係を示す対応テーブルを用いて、上記メニュー画面表示手段に文字列の表示を指示することを特徴とする請求項２〜請求項５のいずれかに記載の薄型ディスプレイ。
【請求項７】
当該薄型ディスプレイはテレビジョン放送を受信するチューナ部を有し、上記チューナ部にて受信した映像信号を表示手段に出力し、上記チューナ部にて受信した音声信号を音声出力手段に出力することを特徴とする請求項２〜請求項６のいずれかに記載の薄型ディスプレイ。
【請求項８】
上記チューナ部は電子番組表を重畳したテレビジョン放送を受信可能であって、
上記音声メニュー表示手段は、上記受信した電子番組表の各番組のデータを基に上記メニュー画面表示手段に、上記音声出力手段にて出力する音声に対応した文字列を表示させることを特徴とする請求項７に記載の薄型ディスプレイ。
【請求項９】
当該薄型ディスプレイは外部入力端子を有し、上記外部入力端子から入力されたビデオ信号を基に映像と音声とを出力することを特徴とする請求項２〜請求項８のいずれかに記載の薄型ディスプレイ。
【請求項１０】
当該薄型ディスプレイは、外部入力端子としてＨＤＭＩ入力端子を有し、上記ＨＤＭＩ入力端子から入力されたビデオ信号を映像信号と音声信号とに分割した後、上記分割した音声信号を上記音声出力手段に出力することを特徴とする請求項２〜請求項９のいずれかに記載の薄型ディスプレイ。
【発明の詳細な説明】
【技術分野】
【０００１】
音声と映像とを個別に出力可能な薄型ディスプレイに関し、特に音声のみの出力を可能にする薄型ディスプレイに関する。
【背景技術】
【０００２】
現在薄型ディスプレイは、入力したビデオ信号を基に音声信号と映像信号とを個別に出力することが可能である。図８は従来の薄型ディスプレイのブロック構成図である。同図より、薄型ディスプレイ１は、チューナ部２が受信したテレビジョン信号を基に映像信号と音声信号とを分離した後、映像信号を映像信号処理部３へまた音声信号を音声信号処理部４へと出力する。映像信号処理部３は、入力された映像信号に所定の信号処理を行い薄型ディスプレイ５に出力する。また、音声信号処理部５は入力された音声信号に増幅等の所定の処理を行った後、スピーカ６に出力する。また上述した薄型ディスプレイ１の各構成要素は制御部９にて制御され機能している。
【０００３】
また、外部映像入力端子７、や外部音声入力端子８を使用してＤＶＤ再生装置等の外部機器からの映像信号や音声信号を入力して、映像や音声として出力することも可能である。具体的には、外部映像入力端子７と外部音声入力端子８をＤＶＤ再生装置と接続し、ＤＶＤメディアから再生された映像信号や音声信号を薄型ディスプレイ５やスピーカ６に出力する。このとき、例えば音声データのみが記録されたＤＶＤを再生する場合、当然映像信号は再生されることはない。しかしながら、映像信号を表示するための薄型ディスプレイ５は常に映像を表示するために駆動し続けており、無駄な電力を消費していた。
【０００４】
上述した薄型ディスプレイ側での無駄な電力の消費を軽減する方法として、映像信号処理部３に映像信号が入力された際、マイコンにて薄型ディスプレイ５への映像信号の出力を遮断することで、薄型ディスプレイ５を駆動させず無駄な電力の消費を低減する方法が開示されている（例えば、特許文献１参照。）。
【０００５】
また、上述した、音声信号のみを薄型ディスプレイにて再生させる際、イヤホン端子にイヤホンの端子が入力した際、スイッチが入る機械的な接点と、上記イヤホン端子から出力される信号に基づいて映像処理回路を映像ミュートするミュート手段とを設けた構造が開示されている。上述した方法により、イヤホンをイヤホン端子に入力するだけで、映像ミュートが掛かるため、ユーザはリモコン等による切替なしで音声のみを出力することが可能となる（例えば、特許文献２参照。）。
【０００６】
さらに、ブラウン管（薄型ディスプレイ）出力するＲＧＢの映像信号をＲ、Ｇ、Ｂの各色ごとに入力の切替を行えるよう切替回路を設け、映像ミュートの際、ＲＧＢのどれか一つのみを残し他の信号の入力を遮断する方法が開示されている。上述した構成によりＲＧＢのいずれかの色のみを表示させることで、ユーザは映像ミュートを故障と誤認することを防止することが可能となる（例えば、特許文献３参照。）。
【０００７】
また、映像ミュートの際、ブラウン管を駆動する水平ドライブ信号を遮断することで消費電力を低減する方法が開示されている。上述した構成では、映像処理回路から出力される水平ドライブ信号を遮断することにより、ブラウン管の駆動を停止してオーディオ系にのみ電源を供給する（例えば、特許文献４、特許文献５参照。）。
【特許文献１】特開平１０−７９９０１
【特許文献２】特開平９−１８１９９２
【特許文献３】特開平５−３６９８４
【特許文献４】特開平５−２６０４０１
【特許文献５】特開平７−９５４９４
【発明の開示】
【発明が解決しようとする課題】
【０００８】
上述した特許文献１〜５の各発明は、次のような課題があった。つまり、映像の表示を停止した状態で音声のみを出力させた場合、音声調整用のメニュー画面を表示することができずユーザが音声メニューの切替を容易に行うことが出来なかった。現在、音声を調整するために、例えば臨場感を上げるためのサラウンドや低音を強調するベース等が上げられる。上述した各メニューはリモコン等を用いて選択を行った際、画面上に各メニューに対応する文字列が表示されることによりユーザはメニューが正しく選択されたことを確認する。また、上記したメニューに限定されず、例えば入力切替を行う場合などでも画面上に選択した入力に対応する文字列が表示されることによりユーザは切替操作が適切に行われているかどうかを判断する。
【０００９】
しかしながら、上述した薄型テレビジョン装置が映像信号を薄型ディスプレイに表示しない状態では、当然リモコン等によりメニュー選択および入力切替を行ったとしても画面には対応する文字列が表示されず、ユーザは画面を見ながら適切な選択をおこなっているか判断することができなかった。上述した状態は特に音声のみの視聴中にリモコンの誤操作によりユーザの任意でないメニューや入力切替を選択してしまった場合や、音声メニューを切替たい場合に顕著である。このような場合、ユーザはわざわざ画面上に映像を表示させるなどする必要があり迅速なメニューまたは入力切替を行うことができなかった。
【００１０】
本発明は、上記課題にかんがみてなされたもので、映像を表示させず音声のみを出力する場合であっても、メニュー操作や入力切替に対応した文字列を表示可能な薄型ディスプレイ、および薄型テレビジョン装置の提供を目的とする。
【課題を解決するための手段】
【００１１】
上述した課題を解決するために請求項２に記載の薄型ディスプレイは、映像を表示する表示手段と音声を出力する音声出力手段とを有し、上記音声出力手段に入力する音声信号に所定の信号処理を施すことで、出力する音声を変化させる音声調整手段を有する薄型ディスプレイにおいて、
入力される指示に基づいて上記表示手段での映像の表示を停止する映像表示停止手段と、所定の文字列を表示可能なメニュー画面表示手段と、上記音声調整手段に指示した音声メニューに対応する文字列を上記メニュー画面表示手段に表示させる音声メニュー表示手段とを有する構成としている。
【００１２】
上記のように構成した薄型ディスプレイでは、映像表示手段により表示手段に表示される映像の表示を停止するとともに、音声メニュー表示手段により音声調整手段に指示した音声メニューに対応する文字列をメニュー画面表示手段に出力する。これにより、音声メニューをメニュー画面表示手段に個別に出力させることが可能となり、表示手段に音声メニューに対応する映像を表示させない場合でも音声メニューの確認を行うことが可能となる。また、表示手段としては液晶ディスプレイやプラズマディスプレイ、さらにはブラウン管ディスプレイにより実現することが可能である。
【００１３】
また、映像表示停止手段が表示手段での映像の表示を停止する具体的な一例として、請求項３に記載の薄型ディスプレイでは、上記映像表示停止手段は、上記表示手段が駆動するための電源の供給を停止することで映像の表示を停止する構成としている。
上記のように構成した薄型ディスプレイでは、映像表示停止手段が表示手段を停止する方法として、表示手段に供給する電源の供給を停止することにより表示手段の駆動を停止し、よって映像の表示を停止する。これにより、表示手段を駆動するための電源を消費せず無駄な電力の消費を低減することが可能となる。
【００１４】
さらに、メニュー画面表示手段の具体的な構成の一例として請求項４に記載の薄型ディスプレイは、上記メニュー画面表示手段は、当該薄型ディスプレイの表示手段より下方に配置される略矩形の表示面から成る構成としている。
上記のように構成した薄型ディスプレイでは、メニュー画面表示手段は表示手段の下方に配置される略矩形の表示面から構成されている。このため、メニュー画面表示手段は筺体の前面内に納められるため薄型ディスプレイの外観のデザインを損なわない。  また、メニュー画面表示手段の具体的な他の一例として、請求項５に記載の薄型ディスプレイでは上記メニュー画面表示手段は、液晶薄型ディスプレイで構成している。
上記のように構成した薄型ディスプレイでは、メニュー画面表示手段は液晶薄型ディスプレイで構成されているため、消費電力の低減と様々な文字列を表示することが可能となる。
【００１５】
さらに、音声メニュー表示手段の具体的な構成の一例として、請求項６に記載の薄型ディスプレイでは、上記音声メニュー表示手段は、選択された音声メニューと表示する文字列との対応関係を示す対応テーブルを用いて、上記メニュー画面表示手段に文字列の表示を指示する構成としている。
上記のように構成した薄型ディスプレイでは、対応テーブルを使用して音声メニューと文字列との対応を関連付けるため、簡易な処理にて音声メニュー表示手段を実現することが可能となる。
【００１６】
また、本発明の薄型ディスプレイは、テレビジョン放送を受信する構成であってもよい。そのため、請求項７に記載の薄型ディスプレイでは、当該薄型ディスプレイはテレビジョン放送を受信するチューナ部を有し、上記チューナ部にて受信した映像信号を表示手段に出力し、上記チューナ部にて受信した音声信号を音声表示手段に出力する構成としている。
上記のように構成した薄型ディスプレイでは、チューナ部を有する薄型テレビジョン装置にも応用することが可能である。
【００１７】
さらに、テレビジョン放送を受信する薄型ディスプレイにおける、音声メニュー表示手段の具体的な構成の一例として、請求項８に記載の薄型ディスプレイでは、上記チューナ部は電子番組表を重畳したテレビジョン放送を受信可能であって、上記音声メニュー表示手段は、上記受信した電子番組表の各番組のデータを基に上記メニュー画面表示手段に、上記音声表示手段にて出力する音声に対応した文字列を表示させる構成としている。
上記のように構成した薄型ディスプレイでは、音声メニュー表示手段はテレビジョン放送に重畳する電子番組表より音声信号のデータを取り出し、上記取り出したデータを基にメニュー画面表示手段に文字列を表示させる。そのため、メニュー画面表示手段には、現在流れる音声の題名や歌詞等の対応する文字列を表示することが可能である。
【００１８】
また、映像信号と音声信号を外部から入力する具体的な構成の一例として請求項９に記載の薄型ディスプレイでは、当該薄型ディスプレイは外部入力端子を有し、上記外部入力端子から入力されたビデオ信号を基に映像と音声とを出力する構成としている。  上記のように構成した薄型ディスプレイでは、映像信号と音声信号は外部入力端子を介して入力される。そのため、ＤＶＤ再生装置等の外部機器からの音声信号にも対応するこができる。
【００１９】
さらに、映像信号と音声信号を外部から入力する具体的な構成の一例として請求項１０に記載の薄型ディスプレイでは、当該薄型ディスプレイは、外部入力端子としてＨＤＭＩ入力端子を有し、上記ＨＤＭＩ入力端子から入力されたビデオ信号を映像信号と音声信号とに分割した後、上記分割した音声信号を上記音声出力手段に出力する構成としている。
上記のように構成した薄型ディスプレイでは、ＨＤＭＩ規格の映像信号や音声信号にも対応することができる。
【００２０】
さらに、上述した課題を解決する具体的な構成の一例として請求項１に記載の薄型テレビジョン装置では、アンテナが受信したテレビジョン放送よりリモコン装置により選択した放送に対応した映像信号と音声信号とを抽出するチューナ部と、外部機器から出力される映像信号を受け入れる映像入力端子と、外部機器から出力される音声信号を受け入れる音声入力端子とから成る外部入力端子と、受け入れた上記映像信号を基に映像を表示する薄型ディスプレイと、受け入れた上記音声信号に音声を調整するための音声メニューに対応した信号処理を施す音声信号処理部と、商用電源から安定化電源を生成して、上記薄型ディスプレイを駆動するための電源を供給する電源基板と、上記音声信号処理部にリモコン装置の操作により入力される音声メニューに対応した信号処理の指示を出すとともに、上記電源基板の制御を行うマイコンと、上記マイコンが駆動するためのプログラムやテーブルを記録するＲＯＭとを有する薄型テレビジョン装置において、
上記薄型ディスプレイの表示画面より下方に、略矩形の表示面であって液晶ディスプレイにて形成されたメニュー表示画面を有し、上記ＲＯＭは上記音声メニューが選択された際、選択された上記音声メニューに対応して上記メニュー表示画面に表示するための文字列とを対応付けする対応テーブルと、上記リモコン装置により当該薄型テレビジョン装置が音声のみを出力する映像ミュートが選択された際、上記マイコンが上記電源基板から上記薄型ディスプレイへの電源の供給を停止するとともに、上記薄型ディスプレイが画面に映像を表示しない状態で上記リモコン装置から音声メニューの選択がなされると、上記マイコンが上記対応テーブルを参照して上記メニュー表示画面に上記選択された音声メニューに対応する文字列を表示させる音声メニュー表示プログラムとを記録する構成としている。
【発明の効果】
【００２１】
以上説明したように本発明によれば、映像を表示させず音声のみを出力する場合であっても、メニュー操作や入力切替に対応した文字列を表示可能な薄型ディスプレイを提供を目的することができる。
また請求項３にかかる発明によれば、表示手段を駆動するための電源を消費せず無駄な電力の消費を低減することが可能となる。
そして請求項４にかかる発明によれば、メニュー画面表示手段は筺体の前面内に納められるため薄型ディスプレイの外観のデザインを損なわない。
さらに請求項５にかかる発明によれば、メニュー画面表示手段は液晶薄型ディスプレイで構成されているため、消費電力の低減と様々な文字列を表示することが可能となる。
また請求項６にかかる発明によれば、簡易な処理にて音声メニュー表示手段を実現することが可能となる。
【００２２】
そして請求項７にかかる発明によれば、チューナ部を有する薄型テレビジョン装置にも応用することが可能である。
さらに請求項８にかかる発明によれば、現在流れる音声の題名や歌詞等の対応する文字列を表示することが可能である。
また請求項９にかかる発明によれば、ＤＶＤ再生装置等の外部機器からの音声信号にも対応するこができる。
そして請求項１０にかかる発明によれば、ＨＤＭＩ規格の映像信号や音声信号にも対応することができる。
さらに請求項１のような、より具体的な構成において、上述した請求項２〜請求項１０の各発明と同様の作用を奏することはいうまでもない。
【発明を実施するための最良の形態】
【００２３】
本発明の薄型ディスプレイの具体的な説明として、上記薄型ディスプレイを使用する薄型テレビジョン装置を基に説明する。以下、下記の順序に従って本発明の実施形態を説明する。
（１）第一の実施の形態
（２）第一の実施の形態のまとめ
（３）第二の実施の形態
（４）第二の実施の形態のまとめ
【００２４】
（１）第一の実施の形態
以下、図１〜図５を参照して、この発明に係る第１の実施の形態について説明する。図１は第一の実施の形態での薄型テレビジョン装置１０を表す正面図である。薄型テレビジョン装置１０は図示しないアンテナにて受信したテレビジョン放送や、外部入力端子を介して入力したビデオ信号を基に映像と音声を出力するためのものである。また、本発明の薄型テレビジョン装置１０は、音声のみを出力させる映像ミュート時に、リモコン等の操作の補助として、出力する音声に対応した文字列を表示する。そのため薄型テレビジョン装置１０は、映像を出力する薄型ディスプレイ１１（表示手段）と、音声を出力するスピーカ１２（音声出力手段）と、映像ミュート時に出力する音声に対応した文字列を表示するメニュー表示画面１３（メニュー画面表示手段）と、上記した薄型ディスプレイ１１とメニュー表示画面１３とを収容する筺体１４と、薄型テレビジョン装置１０を支持する脚部１５とを有する構成である。
【００２５】
上述した概略的な構成より、通常時は薄型ディスプレイ１１にて映像を表示し、スピーカ１２にて音声を出力する。さらに、映像ミュートを選択した場合は、薄型ディスプレイ１１には映像が表示されず音声のみがスピーカ１２から出力される。またこのとき、メニュー表示画面１３に文字列が表示されることにより、メニュー表示画面１３はユーザのリモコン装置等の操作の補助としての役割を果たす。本発明の実施の形態でのメニュー表示画面１３は、略矩形の表示面を有する液晶ディスプレイ装置にて形成され図中において薄型ディスプレイ１１の右下に配置されているが、メニュー表示画面１３の配置や形状としてはこれに限定されず薄型ディスプレイ１１のサイズや全体のデザインに基づいて配置すればよい。以下に上述した本発明の薄型テレビジョン装置１０の具体的な構成を説明する。
【００２６】
図２は本発明の薄型テレビジョン装置１０のブロック構成図である。同図より、薄型テレビジョン装置１０は、図１にて説明した薄型ディスプレイ１１、スピーカ１２、メニュー表示画面１３の他、アンテナ２０が受信したテレビジョン放送や、外部機器からのビデオ信号に基づいて、上記した薄型ディスプレイ１１に映像信号を出力し、スピーカ１２に音声信号を出力する制御基板１６と、上述した制御基板１６や薄型ディスプレイ１１に駆動用の電源を供給する電源基板１７とを有している。上述した制御基板１６や電源基板１７は、薄型ディスプレイ１１やスピーカ１２と同様筺体１４内に配置されて収容される。
【００２７】
制御基板１６はアンテナ２０が受信したテレビジョン放送や、外部機器から入力されたビデオ信号に所定の信号処理を行った後、映像信号を薄型ディスプレイ１１へ出力しまた音声信号をスピーカ１２へ出力するためのものである。そのため制御基板１６は、アンテナ２０が受信したテレビジョン放送から、リモコン装置３０等を用いた指示に基づいて所定のチャネルに対応した番組の映像信号と音声信号とを抽出するチューナ部１６ａと、チューナ部１６ａが抽出した映像信号に所定の信号処理を行う映像信号処理部１６ｂと、チューナ部１６ａが抽出した音声信号に所定の信号処理を行い音声を変化させる音声信号処理部１６ｃ（音声調整手段）と、外部機器と接続して外部機器からの映像信号を受け入れる映像入力端子１６ｄと、外部機器と接続して外部機器からの音声信号を受け入れる音声入力端子１６ｅと、外部機器からの映像信号と音声信号が重畳した信号を受け入れるＨＤＭＩ入力端子１６ｆと、上述したチューナ部１６ａ、映像信号処理部１６ｂ、音声信号処理部１６ｃとを制御するマイコンとしてのマイコン１６ｈと、リモコン装置３０からの操作信号をマイコン１６ｈに出力するリモコンＩ／Ｆ１６ｉと、マイコン１６ｈが起動するためのプログラムやテーブルを記録するＲＯＭ１６ｇとを有する構成である。上述したマイコン１６ｈの各構成要素はバス１６ｊにて接続され、データをマイコン１６ｈにて指定されたアドレスに出力することで、マイコン１６ｈによる制御が行われている。
【００２８】
映像信号処理部１６ｂは、入力された映像信号に所定の信号処理を実施する。信号処理の一例としては使用する薄型ディスプレイ１１の表示特性に合わせた色温度の調整や、ガンマ補正等が上げられる。また、このとき、ユーザがリモコン装置３０を用いて画質調整の指示を出した場合は、上述した画質調整の指示はリモコンＩ／Ｆ１６ｉを介してマイコン１６ｈに出力された後、マイコン１６ｈより映像信号処理部１６ｂに画質調整の指示が出される。画質調整の一例としてはブライトやティントさらにはシャープ等が上げられる。
【００２９】
音声信号処理部１６ｃは、入力された音声信号をビート信号に変換する音声中間周波検波部１６ｃ１と、上記変換したビート信号を多重音声信号の含まれた音声信号に検波するＦＭ検波部１６ｃ２と、検波された音声信号をステレオや２音声信号に復調させる音声多重復調部１６ｃ３と、マイコン１６ｈからの制御により音質バランスや音量の調整を行う低周波増幅部１６ｃ４とを有している。
【００３０】
上述した音声信号処理部１６ｃの構成により、チューナ部１６ａから入力された音声信号は、まず音声中間周波検波部１６ｃ１により４．５ＭＨｚ帯のビート信号に変換された後、ＦＭ検波部１６ｃ２により予め重畳した多重音声信号が含まれた多重音声信号に検波される。その後、音声多重復調部１６ｃ３により、マイコン１６ｈの指示に基づいて主音声の切替や、モノラル、ステレオの切替が行えるよう多重音声信号に復調される。さらに、低周波増幅部１６ｃ４によりマイコン１６ｈの指示により音質やバランスさらには音量が調整され、スピーカ１２を介して音声として出力される。このように、音声信号処理部１６ｃは、マイコン１６ｈからの指示に基づいて音声信号の主音声と副音声の切替や音質やバランスの切替を実行する。
【００３１】
電源基板１７は、商用電源から制御基板１６やスピーカ１２さらには薄型ディスプレイ１１を駆動するための安定化電源を供給するためのものである。本実施の形態での電源基板１７の構成を図３を基に説明する。図３は、第一の実施の形態での電源基板のブロック構成図である。同図より電源基板１７は、商用電源を整流する整流部１７ａと、整流された電源を平滑化する平滑化回路１７ｂ、上記平滑化した電源より所定の交流電源を生成する安定化電源回路１７ｃと、安定化電源回路１７ｃにて生成された電源を基に所定の電源電圧を生成する二次側電源回路１７ｄとを有する構成である。また、電源基板１７はメイン電源スイッチ１７ｅとリモコン装置３０を操作による電源スイッチ１７ｆとを有し、上記二つのスイッチのオン／オフにより薄型テレビジョン装置１０に供給する電源の供給を遮断する。
【００３２】
上記構成により電源基板１７は、商用電源より供給された交流電源を整流部１７ａにより直流の電源に変換し、平滑化回路１７ｂにより平滑化した後、安定化電源回路１７ｃのスイッチング作用により安定的な交流電源に変換する。その後誘導により二次側電源回路１７ｄ１、１７ｄ２、１７ｄ３にそれぞれ電源を供給する。このとき二次側電源回路１７ｄはトランスと巻き線比を異なるよう接続しており、これにより安定化電源回路１７ｃにより生成された交流電圧を二次側電源回路１７ｄ１、１７ｄ２、１７ｄ３に分圧して供給する。
【００３３】
二次側電源回路１７ｄとしては、制御基板１６を駆動するための５ボルト電源を生成する二次側電源回路１７ｄ１、マイコン１６ｈの駆動のための３．３ボルト電源を生成する二次側電源回路１７ｄ２、さらには薄型ディスプレイ１１を駆動するための駆動電圧を供給する二次側電源回路１７ｄ３とを有している。また、上述した二次側電源回路１７ｄ３は、マイコン１６ｈから出力される映像ミュート信号に基づいて、二次側電源回路１７ｄ３から薄型ディスプレイ１１への電源の供給を遮断する映像停止部１８（映像表示停止手段）を有している。これにより、マイコン１６ｈから映像ミュート信号が出力されない通常時は、安定化電源回路１７ｃより出力された電源は、二次側電源回路１７ｄ３を介して薄型ディスプレイ１１へ供給される。逆に、マイコン１６ｈからミュート信号が出力された場合は、映像停止部１８は二次側電源回路１７ｄ３から薄型ディスプレイ１１への電源の供給を遮断する。これにより、薄型ディスプレイは駆動を停止する。
【００３４】
本発明の実施の形態での二次側電源回路１７ｄ３から薄型ディスプレイ１１への電源の供給は、トランジスタにより構成した映像停止部１８を用いて電源供給の切替を行っている。しかしながら二次側電源回路１７ｄ３から薄型ディスプレイ１１への電源供給の切替はこれに限定されず、上述したマイコン１６ｈからの映像ミュート信号を受信して切替を行うものであればよい。他の一例として、二次側電源回路１７ｄ３に供給された電源を昇圧または低圧するための制御を行うロジックＩＣが組み込まれている場合には、ロジックＩＣのスタート並びに停止をマイコン１６ｈからの映像ミュート信号により切り替える構成とすればよい。これにより、上述した映像停止部１８と同等の機能を有することが可能となる。
【００３５】
上述した各構成要素の働きによる薄型テレビジョン装置１０の機能を、映像と音声を同時に出力した場合と、音声のみを出力した場合に分けて説明する。まず、映像と音声を同時に出力する場合を説明する。ユーザがリモコン装置３０の電源キー３０ａを操作すると、電源基板１７の電源スイッチ１７ｆが接続し商用電源から二次側電源回路１７ｄを介して薄型テレビジョン装置１０の各部に必要な電源が供給される。また、このときマイコン１６ｈはＲＯＭ１６ｇから通常起動用プログラムを読み出し、読み出した通常起動用プログラムに従って各部を制御する。この状態でリモコン装置３０のチャンネルキー３０ｂを操作して所定のチャンネルを選択すると、リモコン装置３０から出力された操作信号はリモコンＩ／Ｆ１６ｉに出力される。リモコンＩ／Ｆ１６ｉは受信した操作信号をマイコン１６ｈが受信できるよう所定の信号に変換した後、マイコン１６ｈに出力する。
【００３６】
次にマイコン１６ｈはリモコンＩ／Ｆ１６ｉにより変換された操作信号を受信すると、バス１６ｊを介してチューナ部１６ａにアンテナ２０が受信したテレビジョン放送より操作信号に対応した番組の映像信号と音声信号とを抽出するよう指示を出す。チューナ部１６ａはマイコン１６ｈより上記指示を受けて、抽出した映像信号と音声信号をバス１６ｊを介してそれぞれ映像信号処理部１６ｂと音声信号処理部１６ｃとに出力する。
【００３７】
映像信号処理部１６ｂは映像信号に上述した信号処理を行った後、薄型ディスプレイ１１に信号を出力する。このとき、薄型ディスプレイ１１に出力される映像信号がディジタル信号であるため、薄型ディスプレイ１１を直接駆動させることができない。このため、入力した映像信号を薄型ディスプレイ１１を駆動することができるアナログ信号に変換する必要がある。そのため、二次側電源回路１７ｄ３にて供給する電源電圧を用いてディジタル信号である映像信号をアナログ電圧に変換することで、薄型ディスプレイ１１を駆動するアナログ信号を生成している。
【００３８】
映像信号をアナログ信号に変換する具体的な方法として、入力される映像信号の値を薄型ディスプレイ１１の各画素に印加する電圧の値と対応付けする。映像信号が６ビット（６４階調）である場合、薄型ディスプレイ１１の各画素に電圧を印加するソースＩＣは二次側電源回路１７ｃ３により供給される電圧を０〜６４までの間に分割することで、映像信号のビット数とアナログ信号とを対応付ける。これにより、映像信号の値に対応したアナログ電圧が薄型ディスプレイ１１の各画素に供給されることとなる。上述した薄型ディスプレイ１１を駆動するために供給される電圧は例えば薄型ディスプレイ１１が液晶ディスプレイである場合でも、プラズマディスプレイである場合も同様である。また、薄型ディスプレイ１１がプラズマディスプレイである場合には、画素に印加するアナログ電源の他、プラズマ発光を行うための予備放電や維持放電を行うための電源電圧の印加も二次側電源回路１７ｄから出力されることとなる。
【００３９】
このようにして、薄型ディスプレイ１１に駆動電源が供給されると、薄型ディスプレイ１１は各画素に所定の電圧を印加して映像を表示する。また、このとき同様にチューナ部１６ａは、音声信号を音声信号処理部１６ｃに入力する。音声信号処理部１６ｃは上述した構成にて、音声信号に所定の信号処理を施し、スピーカ１２に音声信号を出力することにより音声が出力される。これにより薄型テレビジョン装置１０の通常時での映像と音声の出力が行われる。
【００４０】
上述した説明では、アンテナ２０が受信したテレビジョン放送を基に映像信号と音声信号を抽出したが、本発明の実施の形態での薄型テレビジョン装置１０は、ＤＶＤ再生装置等の外部機器から映像信号や音声信号を受け入れる外部入力端子を有しており、外部機器から入力される映像信号や音声信号を基に映像や音声を出力することも可能である。本発明の実施の形態では、外部入力端子として、映像入力端子１６ｄ、音声入力端子１６ｅ、さらにはＨＤＭＩ入力端子１６ｆとを有している。これにより、外部機器から映像信号を映像入力端子１６ｄを介して入力し、音声信号を音声入力端子１６ｅを介して入力する他、映像と音声が一体に重畳したＨＤＭＩ規格の信号も入力することが可能である。また、テレビジョン放送を受信する場合と外部入力端子を介して入力した映像信号と音声信号を受信する場合の切替は、マイコン１６ｈにて切替を制御している。
【００４１】
次に、音声信号のみを出力する場合を説明する。ユーザがリモコン装置３０のメニューキー３０ｃを操作して映像ミュートを選択すると、マイコン１６ｈは、ＲＯＭ１６ｇに記録された音声メニュー表示プログラムを読み出す。図４は音声メニュー表示プログラムのフローチャートである。マイコン１６ｈは、音声メニュー表示プログラムをＲＯＭ１６ｇから読み出すことにより通常起動プログラムから図に示す、音声ミュートプログラムに移行する。このとき、マイコン１６ｈは、電源基板１７の二次側電源回路１７ｄ３に映像ミュート信号を出力し、二次側電源回路１７ｄ３から薄型ディスプレイ１１への電源の供給を停止する。（ステップＳ１００）。これにより薄型ディスプレイ１１へ供給される駆動電圧が停止し、画面に表示される映像は停止する。
【００４２】
次に、マイコン１６ｈは、メニュー表示画面１３に表示するための文字列に対応したデータをＲＯＭ１６ｇから参照する（ステップＳ１１０）。本発明の実施の形態では、音声信号に行う信号処理メニューをメニュー表示画面に表示する。上述したように、音声信号処理部１６ｃの音声多重復調部１６ｃ３では、マイコン１６ｈの指示によりステレオや多重音声の切替を行う。また、低周波増幅部１６ｃ４ではマイコン１６ｈの指示により音量や音質さらにはバランスの調整を行うことができる。また、ＲＯＭ１６ｇには上記した各信号処理と対応する文字列のデータの対応関係がテーブルとして記録している。
【００４３】
図５は、対応テーブルの一例を表す図である。対応テーブルはＲＯＭ１６ｇに記録されるデータであるため、実際は図に示すことはできないが説明の便利上図５に示す構成としている。同図より、左端の列はリモコン装置３０により選択される音声メニューであり、その右側には、対応する文字列が表示されている。たとえば、リモコン装置３０を操作して副音声を選択すると、上記指示を受けたマイコン１６ｈは音声信号処理部１６ｃに指示を出すとともに、対応テーブルの左の列の３段目である音声切替を参照し、右側に表示された文字列である「主音声」を選択して、メニュー表示画面１３に指示を出す。実際の対応テーブルの右側に表示されているのは、メニュー表示画面１３のマトリクス状に配置された画素の所定アドレスである。上述した画素のアドレスを点灯させることによりメニュー表示画面１３は音声メニューに対応する文字列を表示させる。これによりマイコン１６ｈ並びにＲＯＭ１６ｇは音声メニュー表示手段を実現する。
【００４４】
そのため、マイコン１６ｈはステップＳ１１０にて、リモコン装置３０の操作により出力された音声メニューに対応する各操作を受け付けると、入力された各操作に対応するＲＯＭ１６ｇに記録された対応テーブルを読み出し、メニュー表示画面１３に文字列を表示するための駆動信号を生成して出力する（ステップＳ１２０）。これにより、メニュー表示画面１３ではマイコン１６ｈの制御のもと、音声メニューに対応する文字列が表示される。
【００４５】
また、メニュー表示画面１３に文字列を表示した状態で、再度リモコン装置３０の操作により音声メニューを切り替えた場合は、マイコン１６ｈはリモコン装置３０からの操作を受け入れ（ステップＳ１３０）、上述したようにＲＯＭ１６ｇに記録されたテーブルを参照して新たなリモコン装置３０の操作による音声メニューに対応する文字列をメニュー表示画面１３に表示する（ステップＳ１４０）。上述した、フローはユーザがリモコン装置３０を用いて映像ミュートを解除するまで続けられる。逆にユーザがリモコン装置３０により音声ミュートを解除した場合は（ステップＳ１５０）、マイコン１６ｈは二次側電源回路１７ｄ３に音声ミュート信号の出力を停止する（ステップＳ１６０）。そして、マイコン１６ｈは通常起動プログラムに移行することで通常の薄型テレビジョン装置１０の起動状態に戻る。
【００４６】
（２）第一の実施の形態のまとめ
以上説明したように、ユーザがリモコン装置３０を用いて映像ミュートを行うと、マイコン１６ｈは薄型ディスプレイ１１の駆動を停止して音声のみをスピーカ１２より出力する。このとき、リモコン装置３０を操作して音声メニューを選択すると、マイコン１６ｈはメニュー表示画面１３に、対応テーブルを参照してリモコン装置３０により選択した音声メニューに対応する文字列を表示する。そのため、音声メユーを切り替えた場合でも、メニュー表示画面１３に選択したメニューが表示されるため、ユーザは選択したメニューの確認を行うことが可能となる。また、映像の表示を停止するのに薄型ディスプレイ１１の駆動電源の供給を停止するため、音声のみ出力する場合の消費電源を少なくすることか可能となる。
【００４７】
（２）第二の実施の形態
次に、図６を参照して、この発明に係る薄型テレビジョン装置を具体化した第２の実施の形態について説明する。第一の実施の形態では、音声メニューをメニュー表示画面１３に文字列として表示させることにより、画面に映像を表示しなくてもユーザが音声メニューを確認できる構成とした。しかしながら、メニュー表示画面１３に表示する文字列は音声メニューに限定されない。そこで、第二の実施の形態では、テレビジョン放送に重畳される電子番組表（ＥＰＧ）を基に、出力する音声に対応した文字列を表示させることとした。
【００４８】
図６は、第二の実施の形態での一例としての画面に表示される電子番組表を表す図である。同図より電子番組表は、図中左端の時間列と、図中最上段のチャンネルの行により各時間での各チャンネルに対応する放送を表している。電子番組表は実際はテレビジョン放送に重畳されるデータの集まりであり、データの内容としては例えば放送する番組の題名、出演者、曲目等が記録されている。そのため、マイコン１６ｈは上記電子番組表を参照することで、音声出力に対応した文字列をメニュー表示画面１３に表示させることが可能である。以下に電子番組表を基にメニュー表示画面１３に音声出力に対応した文字列を表示させる具体的な方法を説明する。
【００４９】
図７は第二の実施の形態でのマイコンが実行するフローチャートである。図７のフローチャートと図４のフローチャートのステップＳ１１０のみ異なるだけであるため、以下ステップＳ２１０を中心に説明を行う。第一の実施の形態で説明したように、リモコン装置３０の操作キーを操作して映像ミュートを選択すると、マイコン１６ｈは通常起動プログラムから映像ミュートプログラムに移行する。このとき、ステップＳ１１０にてマイコン１６ｈは、テレビジョン放送に重畳された電子番組表をＲＯＭ１６ｇから読み出し、電子番組表に記録されたデータに基づいて文字列をメニュー表示画面１３に表示する（ステップＳ２２０）。
【００５０】
このとき、メニュー表示画面１３に表示される文字列は電子番組表の現在の時間列に対応したデータ、つまりは現在出力している音声に対応したデータが表示される必要がある。そのため、マイコン１６ｈは電子番組表の時間軸を参照して、現在の時間と選択したチャンネルに対応したデータのみをメニュー表示画面１３に表示するよう指示を出す。これにより、メニュー表示画面１３には、電子番組表を基に現在出力する音声に対応した文字列が表示されることとなる。また、メニュー表示画面１３に表示する文字列は、上述した現在の時間に対応したデータに限定されず、例えば電子番組表に記録された全てのデータを表示していくものであってもよい。これによりメニュー表示画面には今日放送される全ての放送のデータを表示するため、ユーザはメニュー表示画面を見て番組の選択をすることができる。
【００５１】
上述した第二の実施の形態では、メニュー表示画面１３に現在出力する音声に対応した文字列を表示することが可能となる。また、表示させる文字列は電子番組表に記録された時間に対応する全データを表示させる構成としている。しかしながら、例えば番組の名前だけや、出演する人物の名前のみを表示するものであってもよい。このような構成とすることで、ユーザは画面に映像を表示させることなく、今流れている音声を認識することが可能となる。
【００５２】
（４）第二の実施の形態のまとめ
以上説明したように第二の実施の形態では、電子番組表のデータをメニュー表示画面に表示するため、薄型ディスプレイ１１に映像を表示することなく現在出力している音声に関連した出演者や曲名等のデータを参照することが可能となる。さらにはユーザは現在流れる音声の題名や歌詞等の対応する文字列をメニュー表示画面にて表示させることが可能となる。
【００５３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５４】
【図１】第一の実施の形態での薄型テレビジョン装置１０を表す正面図である。
【図２】本発明の薄型テレビジョン装置１０のブロック構成図である。
【図３】第一の実施の形態での電源基板のブロック構成図である。
【図４】音声メニュー表示プログラムのフローチャートである。
【図５】対応テーブルの一例を表す図である。
【図６】第二の実施の形態での一例としての画面に表示される電子番組表を表す図である。
【図７】第二の実施の形態でのマイコンが実行するフローチャートである。
【図８】従来の薄型ディスプレイのブロック構成図である。
【符号の説明】
【００５５】
１０…薄型テレビジョン装置、１１…薄型ディスプレイ、１２…スピーカ、１３…メニュー表示画面、１４…筺体、１５…脚部、１６…制御基板、１６ａ…チューナ部、１６ｂ…映像信号処理部、１６ｃ…音声信号処理部、１６ｃ１…音声中間周波検波部、１６ｃ２…ＦＭ検波部、１６ｃ３…音声多重復調部、１６ｃ４…低周波増幅部、１６ｄ…映像入力端子、１６ｅ…音声入力端子、１６ｆ…ＨＤＭＩ入力端子、１６ｇ…ＲＯＭ、１６ｈ…マイコン、１６ｉ…リモコンＩ／Ｆ、１６ｊ…バス、１７…電源基板、１７ａ…整流部、１７ｂ…平滑化回路、１７ｃ…安定化電源回路、１７ｄ１、１７ｄ２、１７ｄ３…二次側電源回路、１７ｅ…メイン電源スイッチ、１７ｆ…電源スイッチ、１８…映像停止部、２０…アンテナ、３０…リモコン装置、３０ａ…電源キー、３０ｂ…チャンネルキー、３０ｃ…メニューキー
【図１】
2008078744.tif 000003
【図２】
2008078744.tif 000004
【図３】
2008078744.tif 000005
【図４】
2008078744.tif 000006
【図５】
2008078744.tif 000007
【図６】
2008078744.tif 000008
【図７】
2008078744.tif 000009
【図８】
2008078744.tif 000010